(57)【要約】      （修正有）【課題】キュービクル式受電設備を柱上に設置することにより、その下の敷地を有効利用できるだけでなく、作業スペースを確保して安全に作業を行うことができ、脚立等で簡単に登ることができ、作業車が不要で迅速な事故対応が可能で、省スペース性、安全性、メンテナンス性に優れた柱上キュービクル式受電設備を提供する。【解決手段】電柱１０に隣接して立設された構内柱２と、電柱及び構内柱で支持されて電柱の高さ方向の途中に配設された架台３と、架台上に設置されたキュービクル式受電設備８と、を備える。【選択図】図１
0003196223.tif 000002
【実用新案登録請求の範囲】
【請求項１】
電柱に隣接して立設された構内柱と、前記電柱及び前記構内柱で支持されて前記電柱の高さ方向の途中に配設された架台と、前記架台上に設置されたキュービクル式受電設備と、を備えていることを特徴とする柱上キュービクル式受電設備。
【請求項２】
前記架台が、前記キュービクル式受電設備の周囲に形成された作業用足場と、前記作業用足場の外周部に立設された防護柵と、を備えていることを特徴とする請求項１に記載の柱上キュービクル式受電設備。
【請求項３】
前記電柱及び／又は前記構内柱に配設されたタラップを備えていることを特徴とする請求項１又は２に記載の柱上キュービクル式受電設備。
【考案の詳細な説明】
【技術分野】
【０００１】
本考案は、マンション、店舗、工場、各種施設等で使用されるキュービクル式受電設備（或いは単にキュービクルという）を柱上に設置することにより、敷地を有効利用できる柱上キュービクル式受電設備に関するものである。
【背景技術】
【０００２】
従来は、トランス（配電設備）までが電力会社の設備で、低圧分電盤から先がマンション等の設備であったが、近年はトランスを含むキュービクル式受電設備をマンションの設備として地上に設置するようになっている。
しかし、キュービクル式受電設備を地上に設置すると、扉の開閉スペースも含め専有面積が必要になり、敷地を有効利用できないという問題点がある。
この問題点を解決するものとして、（特許文献１）には、電柱上で高圧を受電し変電圧することにより、地上のキュービクルを不要とした節電型電柱上簡易高圧受電システムが開示されている。
【先行技術文献】
【特許文献】
【０００３】
【特許文献１】特開２０００−３４１８１０号公報
【考案の開示】
【考案が解決しようとする課題】
【０００４】
（１）（特許文献１）は、キュービクルの代わりに電柱に複数の機器取付用アームを設け、開閉器、変成器、変圧器等の機器類を取付けることにより、キュービクルを不要とし、設置工事を簡素化して、敷地の有効利用を図るだけでなく、変圧器を小型化して、契約基本料、電気使用料及び保安管理料等を低料金化し、省エネルギー化につなげようとするものである。
（２）また、キュービクルが不要になることにより、キュービクルの老朽化対策も必要なくなり、キュービクルの老朽化に伴う停電事故や感電事故も低減できると思われる。
（３）しかし、電柱の高所に設けた機器取付用アームに開閉器、変成器、変圧器等の機器類が取付けられているので、これらに不具合や故障等が発生し、点検や部品或いは機器の修理、交換等を行う場合には電柱に登らなければならず、足場が不安定でメンテナンスの作業性、安全性に欠けるという課題を有している。また、作業車を使用する場合、作業の開始までに時間がかかり、事故対応の迅速性に欠けるという課題を有している。
【０００５】
本考案は上記課題を解決するもので、キュービクル式受電設備を柱上に設置することにより、敷地を有効利用できるだけでなく、作業スペースを確保して安全に作業を行うことができ、脚立等で簡単に登ることができ、作業車が不要で迅速な事故対応が可能で、省スペース性、安全性、メンテナンス性に優れた柱上キュービクル式受電設備の提供を目的とする。
【課題を解決するための手段及びそれによって得られる作用、効果】
【０００６】
上記課題を解決するために本考案の柱上キュービクル式受電設備は、以下の構成を有している。
本考案の請求項１に記載の柱上キュービクル式受電設備は、電柱に隣接して立設された構内柱と、前記電柱及び前記構内柱で支持されて前記電柱の高さ方向の途中に配設された架台と、前記架台上に設置されたキュービクル式受電設備と、を備えた構成を有している。
この構成により、以下のような作用、効果を有する。
（１）電柱に隣接して立設された構内柱と、電柱及び構内柱で支持されて電柱の高さ方向の途中に配設された架台と、架台上に設置されたキュービクル式受電設備を有するので、地上のスペースを駐車場などに有効利用することができ、省スペース性に優れる。
（２）架台が電柱及び電柱に隣接して立設された構内柱で支持されることにより、架台の支持の安定性、確実性に優れる。
（３）キュービクル式受電設備が電柱の高さ方向の途中に配設されることにより、小動物の侵入や子供の悪戯等を防止して、漏電、停電事故、感電事故等の発生を防ぐことができ、高品質性、安全性に優れる。
【０００７】
ここで、構内柱は電柱と共にキュービクル式受電設備が設置される架台を支持できるものであればよい。構内柱は、ステンレス等の金属製でもコンクリート製でもよい。また、鋼管等で中空状に形成してもよい。尚、断面形状は円形に限らず、矩形状や多角形状でもよい。
架台はキュービクル式受電設備が載置される載置部と、載置部の底面側の要所を電柱及び構内柱と連結して支持する支持部を有するものが好適に用いられる。載置部及び支持部は鋼製やステンレス製等の金属製のものが好ましい。支持部には棒材やアングル等を用いることができ、載置部には必要に応じて縦横に補強材を配設することができる。
架台（載置部）の高さは２ｍ〜４ｍが好ましい。架台の高さが２ｍより低くなるにつれ、引込盤を設置することや車両などを駐車することができず、架台の下方のスペースを有効利用し難くなると共に、人が架台の支持部等に頭をぶつけたり、子供等が架台によじ登って悪戯をしたりして、安全性が低下する傾向があり、４ｍより高くなるにつれ、脚立などを使って容易に架台の上に登ることができず、メンテナンス性が低下する傾向があり、いずれも好ましくない。
【０００８】
請求項２に記載の考案は、請求項１に記載の柱上キュービクル式受電設備であって、前記架台が、前記キュービクル式受電設備の周囲に形成された作業用足場と、前記作業用足場の外周部に立設された防護柵と、を備えた構成を有している。
この構成により、請求項１の作用、効果に加え、以下のような作用、効果を有する。
（１）架台が、キュービクル式受電設備の周囲に形成された作業用足場を有することにより、作業者が安全にキュービクル式受電設備の保守、点検作業を行うことができ、メンテナンス作業性、安全性に優れる。
（２）作業用足場の外周部に立設された防護柵を有することにより、作業中に作業用足場から作業者が落下することを防止でき、安全性に優れる。
【０００９】
ここで、作業用足場は載置部と一体に形成してもよいし、載置部の外周に別部材を連結して形成してもよい。作業用足場は鋼製やステンレス製等の金属製が好ましいが、板状でもよいし、網状でもよい。
作業用足場はキュービクル式受電設備の扉の開閉スペースを考慮して、作業者が点検、保守作業を行ったり、移動したりできるように形成する。
尚、作業用足場に電柱及び構内柱が貫通する貫通孔を設けることにより、架台全体が前後左右に動くことがなく、架台の固定安定性に優れる。
また、防護柵の形状は適宜、選択することができるが、鋼製やステンレス製等の金属製で、枠状、縦格子状、網状等に形成されたものが好適に用いられる。
【００１０】
請求項３に記載の考案は、請求項１又は２に記載の柱上キュービクル式受電設備であって、前記電柱及び／又は前記構内柱に配設されたタラップを備えた構成を有している。
この構成により、請求項１又は２の作用、効果に加え、以下のような作用、効果を有する。
（１）電柱及び／又は構内柱に配設されたタラップを備えることにより、容易に電柱や構内柱を登って架台上に乗り移ることができ、メンテナンス作業性に優れる。
【００１１】
ここで、タラップは電柱又は構内柱の少なくともいずれか一方に配設されていればよい。
タラップの設置範囲は適宜、選択することができるが、脚立等を使わなければ届かない高さに設置することにより、悪戯等を防止することができる。
【図面の簡単な説明】
【００１２】
【図１】実施の形態１の柱上キュービクル式受電設備の正面模式図
【図２】実施の形態１の柱上キュービクル式受電設備の側面模式図
【図３】実施の形態１の柱上キュービクル式受電設備の要部平面模式図
【考案を実施するための形態】
【００１３】
本考案の柱上キュービクル式受電設備について、以下図面を参照しながら説明する。なお、本考案は以下に説明する実施の形態に限定されるものではない。
（実施の形態１）
図１は実施の形態１の柱上キュービクル式受電設備の正面模式図であり、図２は実施の形態１の柱上キュービクル式受電設備の側面模式図であり、図３は実施の形態１の柱上キュービクル式受電設備の要部平面模式図である。
図１乃至図３中、１は実施の形態１における柱上キュービクル式受電設備、２は既存又は新設の電柱１０に隣接して立設されたコンクリート製の構内柱、３は電柱１０及び構内柱２で支持されて電柱１０の高さ方向の途中に配設された架台、４はキュービクル式受電設備８が載置される鋼板製の載置部、４ａは載置部４の一部としてキュービクル式受電設備８の周囲に形成された鋼製の網状の作業用足場、４ｂは載置部４の要所に縦横に配設された鋼製の補強材、５ａ，５ｂは載置部４の底面側の要所を電柱１０及び構内柱２と連結して支持する鋼製の支持部、６は作業用足場の外周部に立設された鋼製で枠状の防護柵、７は電柱１０の一側部に配設された鋼製のタラップ、１１は電柱１０の上方に配設された受電用ＰＡＳ（図１，２）、１２は電柱１０の受電用ＰＡＳの下方に配設された電力量計（図１，２）、１３は柱上キュービクル式受電設備１の下方で地上に設置された引込盤（図１，２）、１４は柱上キュービクル式受電設備１と引込盤１３を接続する引込幹線（図１）である。
【００１４】
以上のようにキュービクル式受電設備８が柱上に設置されることにより、その下の地上のスペースを有効利用することができる。
キュービクル式受電設備８の保守、点検を行う際には、タラップ７の下方に脚立等を配置し、脚立からタラップ７を伝って電柱１０を登り、容易に架台３上に乗り移って作業を行うことができる。
図３に示すように、キュービクル式受電設備８の外周の作業用足場４ａにはキュービクル式受電設備４ａの扉８ａを開閉するのに十分なスペースがあり、作業者が作業用足場４ａの上を移動しながら、安全に作業を行うことができる。
また、作業用足場４ａを電柱１０及び構内柱２が貫通しているので、架台３全体が前後左右に動くことがなく、架台３の固定安定性、キュービクル式受電設備８の支持安定性に優れる。
尚、防護柵６の形状は適宜、選択することができ、縦格子状や網状等に形成してもよい。
【００１５】
以上のように構成された実施の形態１の柱上キュービクル式受電設備は、以下の作用を有する。
（１）電柱に隣接して立設された構内柱と、電柱及び構内柱で支持されて電柱の高さ方向の途中に配設された架台と、架台上に設置されたキュービクル式受電設備を有するので、地上のスペースを駐車場などに有効利用することができ、省スペース性に優れる。
（２）架台が電柱及び電柱に隣接して立設された構内柱で支持されることにより、架台の支持の安定性、確実性に優れる。
（３）キュービクル式受電設備が電柱の高さ方向の途中に配設されることにより、小動物の侵入や子供の悪戯等を防止して、漏電、停電事故、感電事故等の発生を防ぐことができ、高品質性、安全性に優れる。
（４）架台が、キュービクル式受電設備の周囲に形成された作業用足場を有することにより、作業者が安全にキュービクル式受電設備の保守、点検作業を行うことができ、メンテナンス作業性、安全性に優れる。
（５）作業用足場の外周部に立設された防護柵を有することにより、作業中に作業用足場から作業者が落下することを防止でき、安全性に優れる。
（６）電柱及び／又は構内柱に配設されたタラップを備えることにより、容易に電柱や構内柱を登って架台上に乗り移ることができ、メンテナンス作業性に優れる。
【産業上の利用可能性】
【００１６】
本考案は、キュービクル式受電設備を柱上に設置することにより、その下の敷地を有効利用できるだけでなく、作業スペースを確保して安全に作業を行うことができ、脚立等で簡単に登ることができ、作業車が不要で迅速な事故対応が可能で、省スペース性、安全性、メンテナンス性に優れた柱上キュービクル式受電設備の提供を行うことができ、キュービクル式受電設備の普及に貢献することができる。
【符号の説明】
【００１７】
１  柱上キュービクル式受電設備
２  構内柱
３  架台
４  載置部
４ａ  作業用足場
４ｂ  補強材
５ａ，５ｂ  支持部
６  防護柵
７  タラップ
８  キュービクル式受電設備
１０  電柱
１１  受電用ＰＡＳ
１２  電力量計
１３  引込盤
１４  引込幹線
【図１】
0003196223.tif 000003
【図２】
0003196223.tif 000004
【図３】
0003196223.tif 000005